(57)【要約】【課題】グリップ本体を発光させるための電気的な構成を簡単にする。【解決手段】アシストグリップ１０は、車体の壁面に取り付けられる取付部材１２と、壁面に沿わせた第１姿勢と壁面から起立させた第２姿勢との間で取付部材１２に対して回動可能に支持されたグリップ本体１４とを備えている。また、アシストグリップ１０は、取付部材１２の突出部２０に設けられ、第１姿勢にあるグリップ本体１４の凹部２６の内側に位置する光源２２と、グリップ本体１４に設けられ、光源２２からの光によって発光する導光体３０とを備えている。【選択図】図４
2020192890.tif 000002
【特許請求の範囲】
【請求項１】
車体の壁面に取り付けられる取付部材と、
前記壁面に沿わせた第１姿勢と該壁面から起立させた第２姿勢との間で前記取付部材に対して回動可能に支持されたグリップ本体と、
前記取付部材に、第１姿勢にある前記グリップ本体と重なる位置に突出するように形成され、該グリップ本体に形成された凹部に、該グリップ本体の第１姿勢で収容される突出部と、
前記突出部に設けられ、前記グリップ本体の第１姿勢で前記凹部の内側に向けて光を照射可能に配置された光源と、
前記グリップ本体において前記凹部の内面から該グリップ本体の外面に亘って設けられ、前記光源から照射された光により発光する導光体と、を備えている
ことを特徴とするアシストグリップ。
【請求項２】
前記取付部材には、第１姿勢にある前記グリップ本体と当たる一方で、第２姿勢にある前記グリップ本体から離れるスイッチが設けられ、
前記光源は、前記スイッチと前記グリップ本体とが当たることで発光するように制御され、前記スイッチと前記グリップ本体とが離れることで消灯するように制御される請求項１記載のアシストグリップ。
【発明の詳細な説明】
【技術分野】
【０００１】
この発明は、アシストグリップに関するものである。
【背景技術】
【０００２】
自動車等の車両に設置されるアシストグリップは、車両の壁に固定される取付基台と、取付基台に回動可能に支持されたグリップ本体とを備えたものがある(例えば、特許文献１参照)。特許文献１のアシストグリップは、グリップ本体に設置した光源によってグリップ本体の一部を光らせることで、意匠性の向上が図られている。
【先行技術文献】
【特許文献】
【０００３】
【特許文献１】特開２０１７−２１０１２３号公報
【発明の概要】
【発明が解決しようとする課題】
【０００４】
特許文献１のアシストグリップは、取付基台に設けられた端子と、グリップ本体に設けられた端子とが当たることで、取付基台に対して回動するグリップ本体に設置された光源への電力供給路が接続するようになっている。このため、アシストグリップには、取付基台およびグリップ本体のそれぞれに端子が露出することになり、また、取付基台およびグリップ本体のそれぞれに電力供給路が必要になるので電気的構成が複雑になってしまう。
【０００５】
本発明は、従来の技術に係る前記問題に鑑み、これらを好適に解決するべく提案されたものであって、簡易な構成のアシストグリップを提供することを目的とする。
【課題を解決するための手段】
【０００６】
前記課題を克服し、所期の目的を達成するため、本発明に係るアシストグリップは、
車体の壁面に取り付けられる取付部材と、
前記壁面に沿わせた第１姿勢と該壁面から起立させた第２姿勢との間で前記取付部材に対して回動可能に支持されたグリップ本体と、
前記取付部材に、第１姿勢にある前記グリップ本体と重なる位置に突出するように形成され、該グリップ本体に形成された凹部に、該グリップ本体の第１姿勢で収容される突出部と、
前記突出部に設けられ、前記グリップ本体の第１姿勢で前記凹部の内側に向けて光を照射可能に配置された光源と、
前記グリップ本体において前記凹部の内面から該グリップ本体の外面に亘って設けられ、前記光源から照射された光により発光する導光体と、を備えていることを要旨とする。
【発明の効果】
【０００７】
本発明に係るアシストグリップによれば、電気的構成を簡易にすることができる。
【図面の簡単な説明】
【０００８】
【図１】本発明の実施例に係るアシストグリップを示す斜視図である。なお、グリップ本体が第１姿勢にある。
【図２】実施例のアシストグリップを示す斜視図である。なお、グリップ本体が第２姿勢にある。
【図３】実施例のアシストグリップにおいて、グリップ本体と取付部材とを分解した状態で示す斜視図である。
【図４】実施例のアシストグリップにおいて、グリップ本体を破断して要部を示す斜視図である。なお、グリップ本体が第１姿勢にある。
【図５】実施例のアシストグリップにおいて、グリップ本体を破断して要部を示す斜視図である。なお、グリップ本体が第２姿勢にある。
【発明を実施するための形態】
【０００９】
次に、本発明に係るアシストグリップにつき、好適な実施例を挙げて、添付図面を参照して以下に説明する。
【実施例】
【００１０】
図１および図２に示すように、実施例に係るアシストグリップ１０は、車体におけるルーフトリムなどのパネルの壁面に取り付けられる取付部材１２を備えている。また、アシストグリップ１０は、壁面に沿わせた第１姿勢(図１および図４参照)と、壁面から起立させた第２姿勢(図２および図５参照)との間で、取付部材１２に対して回動可能に支持されたグリップ本体１４を備えている。アシストグリップ１０は、「Ｕ」字形状に形成されたグリップ本体１４の端部のそれぞれが、取付部材１２に設けられた支持部１６に支持軸１８を介して支持されている。なお、アシストグリップ１０は、グリップ本体１４に力が加わっていない自然な状態で、トーションばねなどの図示しない付勢手段によって、グリップ本体１４が第１姿勢になるように構成されている。
【００１１】
以下の説明において、アシストグリップ１０は、パネルへの取り付け状態を基準として方向を指称し、具体的には、車室へ向く側を表といい、車両外側へ向く側を裏という。また、アシストグリップ１０において、車両の前後に離間して配置されるグリップ本体１４の両端の離間方向(支持軸１８の軸方向)を左右方向といい、車室側から見て左右を指称する。アシストグリップ１０は、左右方向に延在する支持軸１８で取付部材１２に支持されたグリップ本体１４が第１姿勢で取付部材１２に重なるように配置される(図１および図４参照)。そして、アシストグリップ１０は、グリップ本体１４を第１姿勢から下方へ回動させて第２姿勢とする(図２および図５参照)。
【００１２】
図１および図２に示すように、取付部材１２には、左右に離して一対の支持部１６,１６が表側へ突出するように形成されている。支持部１６には、支持軸１８が他方の支持部１６に向けて突出するように設けられている。支持軸１８は、グリップ本体１４に設けられた軸孔(図示せず)に嵌まる。取付部材１２には、第１姿勢にあるグリップ本体１４と重なる位置に突出する突出部２０が形成されている。実施例では、突出部２０が支持部１６の上側に配置されている。また、実施例では、グリップ本体１４における把持部分の端部に対応するように、２つの突出部２０,２０が左右方向に離して設けられている。各突出部２０の先端部には、ＬＥＤなどの光を照射可能な光源２２が設置されている。取付部材１２は、ねじ等の固着具でパネルに固定する構造や、パネルに開口する取付孔に差し込んだ爪をクリップで抜け止めする爪係止構造など、適宜の取り付け構造を採用可能である。
【００１３】
図３に示すように、グリップ本体１４の端部には、支持部１６を収容可能な収容凹部２４が裏側に開口するように形成されている。グリップ本体１４には、突出部２０を収容可能な凹部２６が裏側に開口するように形成されている。実施例では、凹部２６が収容凹部２４の上側に配置されている。また、実施例では、グリップ本体１４における把持部分の端部に対応するように、２つの凹部２６,２６が左右方向に離して設けられている。グリップ本体１４は、第１姿勢にあるとき、収容凹部２４に支持部１６を収容すると共に、凹部２６に突出部２０を収容するようになっている。
【００１４】
図４および図５に示すように、グリップ本体１４は、光を透過しない遮光体２８と、光を透過可能な導光体３０とを組み合わせて構成されている。導光体３０は、グリップ本体１４における凹部２６の内側からグリップ本体１４の外面に亘って設けられている。遮光体２８は、不透明なＰＰ(ポリプロピレン)などの合成樹脂で形成されている。導光体３０は、光を透過可能な、例えばガラス、アクリル樹脂、ＰＣ(ポリカーボネート)などの材料から形成されている。実施例のグリップ本体１４は、導光体３０を表裏方向の中間部位に配置し、遮光体２８を導光体３０の表裏から挟むように配置している。グリップ本体１４は、外面の全周に亘って導光体３０の端面が露出している。導光体３０は、凹部２６の内面に露出する端面から、グリップ本体１４の外面に露出する端面に向けて導光可能である。
【００１５】
図１および図２に示すように、片方の支持部１６には、第１姿勢にあるグリップ本体１４と当たる一方で、第２姿勢にあるグリップ本体１４から離れるスイッチ３２が設けられている。スイッチ３２としては、例えば、押しボタン式などの開閉器を用いることができる。実施例のスイッチ３２は、支持部１６の表面からボタンが突出し、グリップ本体１４が第１姿勢にあるとき、ボタンが収容凹部２４の底面に当たるように設定されている。光源２２は、スイッチ３２とグリップ本体１４とが当たることで、光源２２が発光するように制御される。また、光源２２は、スイッチ３２とグリップ本体１４とが離れることで、消灯するように制御される。
【００１６】
アシストグリップ１０は、グリップ本体１４が第１姿勢にあると、突出部２０に設けられた光源２２がグリップ本体１４の凹部２６の内側に配置される。また、光源２２から凹部２６の内側へ向けて光を照射可能になる。凹部２６の内側には、導光体３０が露出しているので、光源２２から照射された光が導光体３０に入射する。これにより、グリップ本体１４の外面に露出する導光体３０の端面が発光する。
【００１７】
アシストグリップ１０は、グリップ本体１４を使用していない第１姿勢にあるとき、グリップ本体１４の外面の一部を構成する導光体３０の端面が発光するので、高級感を演出することができる。しかも、アシストグリップ１０は、グリップ本体１４の一部が発光するので、暗くなってもグリップ本体１４の位置を判り易くすることができ、使い勝手を向上し得る。また、アシストグリップ１０は、導光体３０が発光する構成であるから、眩しくはなく、乗員の視界に悪影響を与えない。
【００１８】
アシストグリップ１０は、壁面に固定される取付部材１２に電力の供給が必要な光源２２が設けられている。一方で、アシストグリップ１０は、取付部材１２に対して回動するグリップ本体１４の導光体３０を発光させるものの、グリップ本体１４には光源２２が設けられていない。従って、アシストグリップ１０は、取付部材１２側だけで配線等の電力供給回路を完結させることができる。アシストグリップ１０は、取付部材１２とグリップ本体１４との間にまたがって電力供給回路を設ける必要がなく、電気的な構成を簡単にすることができる。また、取付部材１２とグリップ本体１４との間に、端子が外部に露出することもない。
【００１９】
アシストグリップ１０は、グリップ本体１４との接離により切り替わる機械的なスイッチ３２によって、光源２２を発光制御しているので、取付部材１２とグリップ本体１４との間に、端子が外部に露出することもない。また、アシストグリップ１０は、取付部材１２側だけで、スイッチ３２を含めた電力供給回路を完結させることができ、電気的な構成を簡単にすることができる。
【００２０】
（変更例）
前述した構成に限らず、例えば以下のようにしてもよい。
(１)実施例では、１基の取付部材によってグリップ本体の両端部を支持したが、これに限らず、グリップ本体の各端部を別々の取付部材で支持する構成であってもよい。また、グリップ本体を２箇所で支持する構成に限らず、グリップ本体を１箇所または３箇所以上で支持する構成であってもよい。
(２)実施例では、２基の光源を設けたが、これに限らず、光源の数が１基であっても、３基以上であってもよい。
(３)実施例では、導光体の端面がグリップ本体の上下の面および側面に露出するように配置したが、これに限らず、例えば、グリップ本体の表面や裏面に導光体の端面が露出するように配置してもよい。
(４)実施例では、支持部と突出部とを別々に設けたが、これに限らず、支持部に光源を設けて、支持部を突出部として用いてもよい。
【符号の説明】
【００２１】
１２ 取付部材，１４ グリップ本体，２０ 突出部，２２ 光源，２６ 凹部，
３０ 導光体，３２ スイッチ
【図１】
2020192890.tif 000003
【図２】
2020192890.tif 000004
【図３】
2020192890.tif 000005
【図４】
2020192890.tif 000006
【図５】
2020192890.tif 000007